【手続補正書】
【提出日】平成24年1月25日(2012.1.25)
【手続補正１】
【補正対象書類名】特許請求の範囲
【補正対象項目名】全文
【補正方法】変更
【補正の内容】
【特許請求の範囲】
【請求項１】
ユーザー・プロフィールを拡張する方法において、
アプリケーションに関連するユーザー固有のデータを受信するステップであって、前記ユーザー固有のデータはユーザー・プロフィール内でレンダリングされ統合されるように操作可能である、受信するステップと、
前記アプリケーションのテンプレートを受信するステップであって、前記テンプレートは調整されたユーザー固有のデータを生成するために前記ユーザーの審美的な好みに基づいて前記ユーザー固有のデータを調整するように操作可能である、受信するステップと、
前記アプリケーションについての前記ユーザー固有のデータ及び前記アプリケーションの前記テンプレートに基づいて、前記調整されたユーザー固有のデータを含むように前記ユーザー・プロフィールを拡張するステップと、
前記拡張に基づいて、レンダリングのために前記ユーザー・プロフィールを提供するステップであって、前記ユーザー・プロフィールは前記調整されたユーザー固有のデータを含む、提供するステップと
を備え、前記ユーザー固有のデータを受信するステップ、前記テンプレートを受信するステップ、前記拡張するステップ及び前記提供するステップのうちの少なくとも１つの少なくとも一部は、少なくとも部分的に、マイクロプロセッサーによって実施される方法。
【請求項２】
前記ユーザーの地理的位置に基づいて前記ユーザーについてのローカル情報を決定するステップを備え、前記ユーザー・プロフィールは前記ローカル情報に基づいて調整される請求項１に記載の方法。
【請求項３】
前記ユーザー固有のデータはマークアップ言語フォーマットである請求項１に記載の方法。
【請求項４】
前記ユーザー固有のデータを格納するステップと、
前記アプリケーションの前記テンプレートを格納するステップと
を備える請求項１に記載の方法。
【請求項５】
前記ユーザー・プロフィールをレンダリングするステップを備える請求項１に記載の方法。
【請求項６】
前記ユーザーを認証するステップを備える請求項１に記載の方法。
【請求項７】
前記テンプレートはマークアップ言語フォーマットである請求項１に記載の方法。
【請求項８】
前記アプリケーションについての前記ユーザー固有のデータの更新を受信するステップと、
前記ユーザー固有のデータの前記更新に基づいて、前記テンプレートに基づいて調整される前記ユーザー固有のデータの前記更新を含む更新されたユーザー・プロフィールを提供するステップであって、前記更新されたユーザー・プロフィールはレンダリングのために操作可能である、提供するステップと
を備える請求項１に記載の方法。
【請求項９】
前記ユーザー固有のデータの前記更新を格納するステップを備える請求項８に記載の方法。
【請求項１０】
前記アプリケーションの前記テンプレートの更新を受信するステップと、
前記テンプレートの前記更新に基づいて、前記テンプレートの前記更新に基づいて調整される前記ユーザー固有のデータを含む更新されたユーザー・プロフィールを提供するステップであって、前記更新されたユーザー・プロフィールはレンダリングのために操作可能である、提供するステップと
を備える請求項１に記載の方法。
【請求項１１】
前記テンプレートの前記更新を格納するステップを備える請求項１０に記載の方法。
【請求項１２】
ユーザー・プロフィールを更新するコンピューター実行可能な命令を含むコンピューター記憶装置であって、前記命令は、マイクロプロセッサーにより実行されると、
アプリケーションに関連するユーザー固有のデータを更新するためにアプリケーション・プログラム・インターフェース（ＡＰＩ）呼び出しを受信するステップであって、前記ユーザー固有のデータの更新は前記ユーザー・プロフィール内でレンダリングされ統合されるように操作可能であり、前記更新は更新されたユーザー固有のデータに帰着するように操作可能である、受信するステップと、
前記ユーザーを認証するステップと、
前記認証に応答して、前記更新されたユーザー固有のデータを格納するステップと、
前記アプリケーションについての前記更新されたユーザー固有のデータ及び前記テンプレートに基づいて更新されたユーザー・プロフィールを生成するステップであって、前記テンプレートは、更新された調整されたユーザー固有のデータを生成するために、前記ユーザーの審美的な好みに基づいて前記更新されたユーザー固有のデータを調整するように構成される、生成するステップと、
レンダリングのために操作可能である前記更新されたユーザー・プロフィールを提供するステップと
を含む動作を実行する、コンピューター記憶装置。
【請求項１３】
前記動作は、
前記ユーザーの地理的な場所に基づいて前記更新されたユーザー固有のデータを調整するステップを備える請求項１２に記載のコンピューター記憶装置。
【請求項１４】
前記更新されたユーザー固有のデータは拡張マークアップ言語（ＸＭＬ）フォーマットである請求項１２に記載のコンピューター記憶装置。
【請求項１５】
前記更新されたユーザー・プロフィールをレンダリングするステップを備える請求項１２に記載のコンピューター記憶装置。
【請求項１６】
前記更新されたユーザー固有のデータは前記更新が利用可能である場合にプッシュされる請求項１２に記載のコンピューター記憶装置。
【請求項１７】
ユーザー・プロフィールを拡張するシステムであって、
ユーザー固有のデータを受信するためにアプリケーション・プログラム・インターフェース（ＡＰＩ）呼び出しを受信するように操作可能なＡＰＩハンドラ−と、
アプリケーションに関連する前記ユーザー固有のデータを格納し提供するように操作可能なユーザー・コンテンツ受信部モジュールであって、前記ユーザー固有のデータは前記ユーザー・プロフィール内でレンダリングされ統合されるように操作可能である、ユーザー・コンテンツ受信部モジュールと、
ユーザーの審美的な好みに基づいて前記ユーザー固有のデータを調整するように操作可能であるテンプレートを格納し提供するように操作可能であるアプリケーション・テンプレート・モジュールと、
前記アプリケーション・テンプレート・モジュール内の前記テンプレート及び前記ユーザー固有のデータに基づいて、調整されたユーザー固有のデータを含むように前記ユーザー・プロフィールを拡張するように操作可能なプロフィール・ハンドラ−であって、前記ユーザー・プロフィールはレンダリングのために操作可能である、プロフィール・ハンドラ−と
を備え、前記ＡＰＩハンドラ−、前記ユーザー・コンテンツ受信部モジュール、前記アプリケーション・テンプレート・モジュール及び前記プロフィール・ハンドラ−のうちの少なくとも１つの少なくとも一部は、少なくとも部分的に、マイクロプロセッサーによって実施される、システム。
【請求項１８】
前記ユーザーの地理的位置に基づいて前記ユーザー固有のデータを調整するように操作可能な局地化ハンドラ−を備える請求項１７に記載のシステム。
【請求項１９】
前記ユーザーを認証するように操作可能な認証モジュールを備える請求項１７に記載のシステム。
【請求項２０】
前記ユーザー固有のデータの更新を受信するように操作可能な第２のアプリケーション・プログラム・インターフェース（ＡＰＩ）ハンドラ−であって、前記テンプレートの更新、前記ユーザー固有のデータの前記更新及び格納された前記テンプレートの前記更新を受信するように操作可能である、第２のＡＰＩハンドラ−を備える請求項１７に記載のシステム。